(57)【要約】【課題】バリア付きカメラにマクロレンズアダプタを装着した場合であってもカメラの電源操作が可能で、かつ、マクロレンズのレンズ面に汚れ等が生じてしまうことがないマクロレンズアダプタ、及びそのようなマクロレンズアダプタを装着可能なカメラを提供すること。【解決手段】マクロレンズアダプタにマクロレンズ２０２のレンズ面を保護するためのレンズバリア２０３を設ける。カメラ本体１０１側は、このレンズバリア２０３の開閉状態をフォトリフレクタ１０８によりに検出する。このフォトリフレクタ１０８の検出結果に応じて、カメラ本体１０１の電源のオン／オフを行う。【選択図】　　図１
2004020612.tif 000002
【特許請求の範囲】
【請求項１】
被写体を拡大して撮影するためのマクロレンズのレンズ面が覆い隠される位置と、該レンズ面が覆い隠される位置から上記レンズ面が現れる位置に摺動可能なバリアを有するマクロレンズアダプタを撮影レンズの前面に装着可能であり、
上記バリアの摺動位置に応じて、自身の動作状態を動作状態又は非動作状態に設定する動作状態設定手段を具備することを特徴とするマクロレンズアダプタを装着可能なカメラ。
【請求項２】
上記撮影レンズに上記マクロレンズアダプタが装着された場合に、上記撮影レンズの焦点距離を所定位置に固定する焦点距離調節手段を更に具備することを特徴とする請求項１に記載のマクロレンズアダプタを装着可能なカメラ。
【請求項３】
上記撮影レンズに上記マクロレンズアダプタが装着された場合に、撮影中の被写体までの距離を表示する距離情報表示手段を更に具備することを特徴とする請求項１に記載のマクロレンズアダプタを装着可能なカメラ。
【請求項４】
被写体を拡大して撮影するためのマクロレンズと、
上記マクロレンズのレンズ面が覆い隠される位置と、該レンズ面が覆い隠される位置から上記レンズ面が現れる位置に摺動可能なバリアと、
を具備することを特徴とするマクロレンズアダプタ。
【発明の詳細な説明】
【０００１】
【発明の属する技術分野】
本発明は、マクロ撮影時に使用するマクロレンズアダプタ及びマクロレンズアダプタを装着可能なカメラに関する。
【０００２】
【従来の技術】
従来、被写体を拡大して撮影する、いわゆる「マクロ撮影」が可能な機構を有していないカメラを用いてマクロ撮影を行う場合には、カメラの撮影レンズの先端に、マクロ撮影用の補助レンズとしてマクロレンズを取り付ける機構、即ち、マクロレンズアダプタを装着する。
【０００３】
【発明が解決しようとする課題】
しかし、撮影レンズを覆い隠す位置と撮影レンズ面が現れる位置に摺動可能であり、撮影レンズのレンズ面を保護する目的で使用されるバリア機構を有する、いわゆる「バリア付きカメラ」に前述のマクロレンズアダプタを装着した場合には、バリアを閉じる際にマクロレンズアダプタが邪魔となり、バリアを閉じることができなくなる。
【０００４】
また、一般のバリア付きカメラの場合、バリアを開くとカメラが動作状態（カメラの電源がオン）となり、バリアを閉じるとカメラが非動作状態（カメラの電源がオフ）となるというように、バリアの開閉動作とカメラの電源のオン／オフとを連動させる機構となっていることが多いので、マクロレンズアダプタ装着によってバリアを閉じることができないということは、カメラの電源をオフすることができないということになる。
【０００５】
更に、マクロレンズアダプタに取り付けられているマクロレンズを前述のバリアで覆うことはできないので、マクロレンズアダプタを装着したままであると、マクロレンズのレンズ面が現れたままとなり、マクロレンズのレンズ面に汚れ等が生じてしまう虞がある。
【０００６】
本発明は、上記の事情に鑑みてなされたもので、バリア付きカメラにマクロレンズアダプタを装着した場合であってもカメラの電源操作が可能で、かつ、マクロレンズのレンズ面に汚れ等が生じることがないマクロレンズアダプタ、及びそのようなマクロレンズアダプタを装着可能なカメラを提供することを目的とする。
【０００７】
【課題を解決するための手段】
上記の目的を達成するために、本発明によるマクロレンズアダプタを装着可能なカメラは、被写体を拡大して撮影するためのマクロレンズのレンズ面が覆い隠される位置と、該レンズ面が覆い隠される位置から上記レンズ面が現れる位置に摺動可能なバリアを有するマクロレンズアダプタを撮影レンズの前面に装着可能であり、上記バリアの摺動位置に応じて、自身の動作状態を動作状態又は非動作状態に設定する動作状態設定手段を具備することを特徴とする。
【０００８】
即ち、本発明のマクロレンズアダプタを装着可能なカメラは、マクロレンズアダプタ自身にバリアを設け、このバリアの摺動位置に応じて、動作状態設定手段がカメラの動作状態を動作状態又は非動作状態に設定する。
【０００９】
また、上記の目的を達成するために、本発明によるマクロレンズアダプタは、被写体を拡大して撮影するためのマクロレンズと、上記マクロレンズのレンズ面が覆い隠される位置と、該レンズ面が覆い隠される位置から上記レンズ面が現れる位置に摺動可能なバリアと、を具備することを特徴とする。
【００１０】
即ち、本発明のマクロレンズアダプタは、マクロレンズのレンズ面を覆う位置とマクロレンズのレンズ面が現れる位置とに摺動可能なバリアを具備する。
【００１１】
【発明の実施の形態】
以下、本発明の一実施の形態を図面を参照して説明する。
図１（Ａ）は、本発明の一実施の形態に係るマクロレンズアダプタを装着可能なカメラの一例としてのバリア付きコンパクトカメラの外観構成図である。
即ち、カメラ本体１０１の前面には、銀塩撮影系レンズ（撮影レンズ）１０２、レンズバリア１０３、ファインダ窓１０４、測光受光部（測光窓）１０５、ＡＦ投光部（ＡＦ窓）１０６、マクロレンズアダプタスイッチ１０７、及びフォトリフレクタ１０８が設けられている。
【００１２】
撮影レンズ１０２は、被写体の像を、カメラ内部の図示しないフィルムに結像させるレンズである。また、撮影時において、この撮影レンズ１０２は、カメラ内部の図示しない焦点距離調節機構によって、焦点距離が変化するように駆動される。なお、焦点距離調節機構は特許請求の範囲に記載の焦点距離調節手段に相当する。マクロ撮影時にはこの撮影レンズ１０２に後述するマクロレンズアダプタが取り付けられる。図１（Ａ）の破線部はマクロレンズアダプタのマクロレンズ２０２である。
【００１３】
レンズバリア１０３は、撮影レンズ１０２のレンズ面を保護するための部材である。また、レンズバリア１０３は図１中矢印ａ方向に摺動させることができ、レンズバリア１０３を開く方向に摺動させた場合には、撮影レンズ１０２が現れる。また、カメラの電源をオンして、カメラを動作状態、即ち、撮影可能な状態とする。一方、レンズバリア１０３を閉じる方向に摺動させた場合には、撮影レンズ１０２が覆われる。また、カメラの電源をオフしてカメラを非動作状態、即ち、スタンバイ状態とする。なお、図１（Ａ）の破線部で示されているのは、後で詳述するマクロレンズアダプタのレンズバリア２０３である。
【００１４】
ファインダ窓１０４は、撮影者が撮影時における被写体の様子や構図等を確認するための対物窓である。
測光窓１０５は、内部に図示しない測光用のセンサが設けられている。この測光用のセンサは撮影シーンからの光を受光する。そして、この測光用のセンサの受光結果により被写体の光量を測定し、この光量の測定結果に基づいて、カメラ内部の図示しないＣＰＵが、露出時における絞り値やシャッタスピードの決定、及びフラッシュ投光の有無などを決定する。
【００１５】
ＡＦ窓１０６は、内部に図示しない投光素子が設けられている。この投光素子は被写体に向けて光を投光する。投光素子から投光した光は被写体において反射され、この反射光をカメラにおいて受光する。そして、この被写体からの反射光の受光結果に基づいて、カメラ内部の図示しないＣＰＵ等が、カメラから被写体までの距離、即ち、被写体距離の算出を行う。
マクロレンズアダプタスイッチ１０７は、カメラ本体１０１にマクロレンズアダプタが装着されたことを検出するためのスイッチである。なお、マクロレンズアダプタの詳細については後述する。また、図１（Ｂ）に、カメラの右側面側から見たマクロレンズアダプタスイッチ１０７の拡大図を示す。マクロレンズアダプタスイッチ１０７は、スイッチ本体部１０７ｂ（図１（Ｂ）の黒塗り部）にスイッチ部１０７ａが設けられており、後述するマクロレンズアダプタスイッチ用切片によって、このスイッチ部１０７ａがオンされたことを判定した場合に、カメラはマクロレンズアダプタが装着されたことを認識する。
【００１６】
フォトリフレクタ１０８は、対象に光を投射してその対象からの反射光を受光する投受光素子であり、マクロレンズアダプタ側のレンズバリアの開閉状態を検出する。
【００１７】
また、カメラ本体１０１の上面には、フラッシュ投光部１０９、レリーズボタン１１０、ズームスイッチ１１１、及び液晶表示部（ＬＣＤ）１１２が設けられている。
【００１８】
フラッシュ投光部１０９は内部に発光管が設けられている。この内部に設けられた発光管は露出時等で必要に応じて発光制御される。
レリーズボタン１１０は、２段押し下げ式で構成された１ｓｔレリーズスイッチ（１ＲＳＷ）及び２ｎｄレリーズスイッチ（２ＲＳＷ）を操作するためのボタンである。レリーズボタン１１０を半押し操作することにより、１ＲＳＷがオンして、被写体距離の算出（測距）や光量の測定（測光）といった露出準備動作を開始させる。また、レリーズボタン１１０を全押し操作することにより２ＲＳＷがオンして、露出動作を開始させて、図示しないフィルムに被写体の像を記録させる。
【００１９】
ズームスイッチ１１１は、カメラ内部の図示しないズーム駆動機構を制御して撮影レンズ１０２のズーミングを行わせるスイッチである。このズームスイッチ１１１はＴＥＬＥ側又はＷＩＤＥ側のいずれかの方向に操作できるようになっており、ズームスイッチ１１１をＴＥＬＥ側又はＷＩＤＥ側のいずれかの方向に操作することにより、撮影レンズ１０２のズーミングが開始して望遠撮影又は広角撮影が可能となる。
【００２０】
ＬＣＤ１１２は、後述するマクロ撮影時において被写体距離の表示を行うほか、フィルムの撮影コマ数等の表示も行う。なお、ＬＣＤ１１２は特許請求の範囲に記載の距離情報表示手段に相当する。
【００２１】
図２（Ａ）、図２（Ｂ）に本発明の一実施の形態に係るマクロレンズアダプタの外観構成図を示す。なお、図２（Ａ）はマクロレンズアダプタのレンズバリアが閉じられている状態を示し、図２（Ｂ）はマクロレンズアダプタのレンズバリアが開いている状態を示す。
即ち、マクロレンズアダプタ２０１は、マクロレンズ２０２（図２（Ａ）、図２（Ｂ）の斜線部）、レンズバリア２０３、及びマクロレンズアダプタスイッチ用切片２０４を含んで構成されている。
【００２２】
マクロレンズ２０２は、マクロ撮影用に設計されたレンズである。
レンズバリア２０３は、マクロレンズ２０２のレンズ面を保護するための部材である。なお、レンズバリア２０３は特許請求の範囲に記載のバリアに相当する。また、レンズバリア２０３は図２中矢印ｂ方向に摺動させることができ、レンズバリア２０３を開く方向に摺動させることにより、マクロレンズ２０２が現れる。一方、レンズバリア２０３を閉じる方向に摺動させることにより、マクロレンズ２０２を覆い、マクロレンズ２０２のレンズ面を保護する。
【００２３】
また、カメラ本体１０１に設けられているフォトリフレクタ１０８によりレンズバリア２０３の開閉状態の検出が行われる。つまり、フォトリフレクタ１０８から光を投射した場合に、レンズバリア２０３が閉じていたときには、投射光がレンズバリア２０３の裏面で反射される。一方、フォトリフレクタ１０８から光を投射した場合に、レンズバリア２０３が開いていたときには、投射光がレンズバリア２０３の裏面で反射されない。よって、フォトリフレクタ１０８を用いて、レンズバリア２０３からの反射光の有無を検出することにより、レンズバリア２０３の開閉状態を検出する。
【００２４】
更に、このレンズバリア２０３の開閉状態は、カメラ本体１０１の電源のオン／オフと連動していて、レンズバリア２０３が開状態となった場合には、カメラ本体１０１の電源をオンしてカメラを撮影可能な状態とする。一方、レンズバリア２０３が閉状態となった場合には、カメラ本体１０１の電源をオフしてカメラをスタンバイ状態とする。これによりカメラ本体１０１のレンズバリア１０３を開閉させずに、カメラ本体１０１の電源のオン／オフを行うことができる。また、レンズバリア２０３によってマクロレンズ２０２のレンズ面を保護するので、マクロレンズアダプタ２０１とカメラ本体１０１とを別体で携帯する必要がない。
【００２５】
マクロレンズアダプタスイッチ用切片２０４は、マクロレンズ２０２に設けられており、前述のマクロレンズアダプタスイッチ１０７をオンするための切片である。マクロレンズアダプタ２０１がカメラ本体１０１に装着された場合には、マクロレンズアダプタスイッチ用切片２０４とマクロレンズアダプタスイッチ１０７のスイッチ部１０７ａとが導通する。これにより、カメラ側はマクロレンズアダプタ２０１が装着されたことを検出する。
【００２６】
図３（Ａ）、図３（Ｂ）にマクロレンズアダプタ装着時のカメラの外観を示す。なお、図３（Ａ）は、マクロレンズアダプタ２０１が装着され、更にマクロレンズアダプタ２０１のレンズバリア２０３が閉じている状態を示し、図３（Ｂ）は、マクロレンズアダプタ２０１が装着され、更にマクロレンズアダプタ２０１のレンズバリア２０３が開いている状態を示す。
【００２７】
マクロレンズアダプタ２０１がカメラ本体１０１に装着された場合には、カメラ本体１０１の撮影レンズ１０２の焦点距離が最も短くなる位置、いわゆる「沈胴位置」、になるように撮影レンズ１０２が駆動制御される。これによって図３（Ａ）のようにレンズバリア２０３を閉じることができる。一方、図３（Ｂ）のようにレンズバリア２０３を開いた場合でも、撮影レンズ１０２は沈胴位置から駆動制御されない。
【００２８】
次に、図４を参照して、本発明の一実施の形態に係るマクロレンズアダプタを装着可能なカメラのメインシーケンスの動作制御について説明する。なお、以後説明していくカメラのシーケンス制御は、カメラ内部の図示しないＣＰＵによって制御されるものである。また、このＣＰＵは特許請求の範囲に記載の動作状態設定手段の機能を含むものである。
【００２９】
まず、ＣＰＵはカメラ本体１０１のレンズバリア１０３が開状態であるか否かを判定する（ステップＳ４０１）。レンズバリア１０３が開状態でないと判定した場合には、レンズバリア１０３が開状態となるまで、上記ステップＳ４０１の判定を繰り返す。
【００３０】
一方、上記ステップＳ４０１の判定において、レンズバリア１０３が開状態であると判定した場合には、前述したマクロレンズアダプタスイッチ１０７の状態によりマクロレンズアダプタ２０１がカメラ本体１０１に装着されているか否かを判定する（ステップＳ４０２）。マクロレンズアダプタ２０１がカメラ本体１０１に装着されていないと判定した場合には、後述する通常の撮影シーケンスの制御を行う。
【００３１】
一方、上記ステップＳ４０２の判定において、マクロレンズアダプタ２０１がカメラ本体１０１に装着されていると判定した場合には、フォトリフレクタ１０８の出力によりマクロレンズアダプタ２０１のレンズバリア２０３が開状態であるか否かを判定する（ステップＳ４０３）。マクロレンズアダプタ２０１のレンズバリア２０３が開状態でないと判定した場合には、カメラをスタンバイ状態として上記ステップＳ４０１に戻る。
【００３２】
一方、上記ステップＳ４０３の判定において、マクロレンズアダプタ２０１のレンズバリア２０３が開状態であると判定した場合には、次に述べるマクロ撮影シーケンスの制御を行う。
【００３３】
マクロ撮影シーケンスの制御について図５を参照して説明する。
前述のメインシーケンスにおいて、マクロ撮影のシーケンス制御を行うと判定した場合には、カメラ本体１０１の撮影レンズ１０２を、焦点距離が最も短くなる位置に駆動制御して、以後、この位置に撮影レンズ１０２を固定する（ステップＳ５０１）。これは、ズーミングによって撮影レンズ１０２とマクロレンズ２０２とが干渉しないようにするためである。
【００３４】
次に、ＬＣＤ１１２に現在の被写体距離の表示を行う（ステップＳ５０２）。つまり、マクロレンズアダプタ２０１を装着することによって、合焦のための測距データ、即ち、レンズ繰り出し量が、通常撮影の場合に対してずれてしまう。そこで、撮影レンズ１０２の焦点位置を固定しておき、撮影者が撮影距離を任意に指定することによって、レンズ繰り出し量のずれを補正できるようにしておく。このために、現在の被写体距離をＬＣＤ１１２に表示して現在の被写体距離が撮影者にも認識できるようにする。
【００３５】
なお、撮影者にレンズ繰り出し量のずれを補正させる代わりに、マクロレンズアダプタのＡＦ投光条件や視野を変更することにより、カメラ側でピントずれを補正するようにしても良い。
【００３６】
次に、レリーズボタン１１０が半押し操作されて、１ＲＳＷがオンしたか否かを判定する（ステップＳ５０３）。１ＲＳＷがオンしていないと判定した場合には、上記ステップＳ５０１に戻る。一方、１ＲＳＷがオンしたと判定した場合には、被写体の光量を測定する測光処理を行った後（ステップＳ５０４）、この測光処理によって測定した被写体の光量に基づいて、シャッタスピード等を算出する露出演算を行う（ステップＳ５０５）。
【００３７】
次に、レリーズボタン１１０が全押し操作されて、２ＲＳＷがオンしたか否かを判定する（ステップＳ５０６）。２ＲＳＷがオンしていないと判定した場合には、上記ステップＳ５０３に戻る。一方、２ＲＳＷがオンしたと判定した場合には、図示しないシャッタを駆動制御して、露出を行った後（ステップＳ５０７）、フィルムの巻き上げを行い（ステップＳ５０８）、メインのフローチャートのステップＳ４０１に戻る。
【００３８】
次に、通常撮影シーケンスの制御について図６を参照して説明する。
まず、ズームスイッチ１１１がＴＥＬＥ側又はＷＩＤＥ側に操作されたか否かを判定する（ステップＳ６０１）。ズームスイッチ１１１がいずれかの側に操作されたと判定した場合には、ズームスイッチ１１１の操作方向に応じて撮影レンズ１０２のズーミングを行った後（ステップＳ６０２）、ステップＳ６０３に進む。一方、ズームスイッチ１１１が操作されていないと判定した場合には、そのままステップＳ６０３に進む。
【００３９】
次に、レリーズボタン１１０が半押し操作されて１ＲＳＷがオンしたか否かを判定する（ステップＳ６０３）。１ＲＳＷがオンしていないと判定した場合には、上記ステップＳ６０１に戻る。一方、１ＲＳＷがオンしたと判定した場合には、被写体距離を算出する測距処理を行う（ステップＳ６０４）とともに、被写体の光量を測定する測光処理を行い（ステップＳ６０５）、この測光処理によって測定した被写体の光量に基づいて、シャッタスピード等を算出する露出演算を行う（ステップＳ６０６）。
【００４０】
次に、レリーズボタン１１０が全押し操作されて、２ＲＳＷがオンしたか否かを判定する（ステップＳ６０７）。２ＲＳＷがオンしていないと判定した場合には、上記ステップＳ６０２に戻る。一方、２ＲＳＷがオンしたと判定した場合には、撮影レンズ１０２を駆動制御してピント合わせを行う（ステップＳ６０８）。
【００４１】
次に、図示しないシャッタを駆動制御して、露出を行った後（ステップＳ６０９）、フィルムの巻き上げを行い（ステップＳ６１０）、メインのフローチャートのステップＳ４０１に戻る。
【００４２】
以上一実施の形態に基づいて本発明を説明したが、本発明は前述した一実施の形態に限定されるものではなく、本発明の要旨の範囲内で種々の変形や応用が可能なことは勿論である。
【００４３】
【発明の効果】
以上詳述したように、本発明によれば、バリア付きカメラにマクロレンズアダプタを装着した場合であってもカメラの電源操作が可能で、かつ、マクロレンズのレンズ面に汚れ等が生じることがないマクロレンズアダプタ、及びそのようなマクロレンズアダプタを装着可能なカメラを提供することができる。
【図面の簡単な説明】
【図１】図１（Ａ）は本発明の一実施の形態に係るマクロレンズアダプタを装着可能なカメラの一例を示したバリア付きコンパクトカメラの外観構成図であり、図１（Ｂ）はカメラの右側面側からみたマクロレンズアダプタスイッチの拡大図である。
【図２】図２（Ａ）はレンズバリアが閉じられている状態のマクロレンズアダプタの外観構成図であり、図２（Ｂ）はレンズバリアが開いている状態のマクロレンズアダプタの外観構成図である。
【図３】図３（Ａ）は、カメラにマクロレンズアダプタが装着され、更にマクロレンズアダプタのレンズバリアが閉じている状態の外観図であり、図３（Ｂ）は、カメラにマクロレンズアダプタが装着され、更にマクロレンズアダプタのレンズバリアが開いている状態の外観図である。
【図４】本発明の一実施の形態に係るマクロレンズアダプタを装着可能なカメラのメインシーケンスの制御手順を示すフローチャートである。
【図５】マクロ撮影シーケンスの制御手順を示すフローチャートである。
【図６】通常の撮影シーケンスの制御手順を示すフローチャートである。
【符号の説明】
１０１　カメラ本体
１０２　銀塩撮影系レンズ（撮影レンズ）
１０３，２０３　レンズバリア
１０４　ファインダ窓
１０５　測光受光部（測光窓）
１０６　ＡＦ投光部（ＡＦ窓）
１０７　マクロレンズアダプタスイッチ
１０８　フォトリフレクタ
１０９　フラッシュ投光部
１１０　レリーズボタン
１１１　ズームスイッチ
１１２　液晶表示部（ＬＣＤ）
２０１　マクロレンズアダプタ本体
２０２　マクロレンズ
２０４　マクロレンズアダプタスイッチ用切片
Ｓ４０１，Ｓ４０２，Ｓ４０３，Ｓ４０４　ＣＰＵ（動作状態設定手段）の動作制御手順
【図１】
2004020612.tif 000003
【図２】
2004020612.tif 000004
【図３】
2004020612.tif 000005
【図４】
2004020612.tif 000006
【図５】
2004020612.tif 000007
【図６】
2004020612.tif 000008